(57)【要約】      （修正有）【課題】前面板の周縁に目地用切欠きを有すると共に、前面板の前面に砂や細かい砕石等の砂礫を付着させた護岸ブロックにおいて、前面板の周縁に砂礫が付着していない部分が見えないようにした護岸ブロック及びこれを成形するための成形型枠装置を提供する。【解決手段】目地用切欠き５ａの側面を、前面板２ａの前面に対して垂直、または前面板の前面から奥側へ向かって内側に後退する勾配にして目地用切欠きの側面が前側から見えないようにした構成になっている。【選択図】図１３
0003173128.tif 000002
【実用新案登録請求の範囲】
【請求項１】
前面板を積み重ねることにより河岸等の法面を構築し、かつ前面板の前面に砂礫を付着すると共に、前面板の周縁に目地用切欠きを成形した護岸ブロックにおいて、
目地用切欠きの側面を、前面板の前面に対して垂直、または前面板の前面から奥側へ向かって内側に後退する勾配にして目地用切欠きの側面が前側から見えないようにした
ことを特徴とする護岸ブロック。
【請求項２】
前面板を積み重ねることにより河岸等の法面を構築し、かつ前面板の前面に砂礫を付着すると共に、前面板の周縁に目地用切欠きを成形した護岸ブロックにおいて、
目地用切欠きの側面を、前面板の前面に近い部分を前面板に対して垂直状にし、この垂直部から奥側を内側へ後退する勾配にして目地用切欠きの側面が前側から見えないようにした
ことを特徴とする護岸ブロック。
【請求項３】
前面板を積み重ねることにより河岸等の法面を構築し、かつ前面板の前面に砂礫を付着すると共に、前面板の周縁に目地用切欠きを成形した護岸ブロックにおいて、
目地用切欠きの側面を、前面板の前面に対して垂直状にして目地用切欠きの側面が前側から見えないようにした
ことを特徴とする護岸ブロック。
【請求項４】
請求項１から請求項３のいずれか１項記載の護岸ブロックを成形する成形型枠装置において、
護岸ブロックの前面板に対応する形状の基台と、この基台に対して開閉可能に設けられ、護岸ブロックの外側形状を成形する側枠及び内側形状を成形する中子枠とからなる型枠と、
上側を開放し、かつ内側面に、底壁に近い部分を底壁に対して垂直にした垂直部と、この垂直部より上側を内側へ傾斜した内側向き傾斜部を設けた側壁を有し、型締め状態の上記側枠の内側に沿わせて型枠の基台上に載置し、側壁の一部を他の側壁と底壁に対して分離可能に分割してなる逆勾配目地用の砂礫入れ容器と、
上側を開放し、かつ内側面を垂直にした側壁を有し、型締め状態の上記側枠の内側に沿わせて型枠の基台上に載置され、側壁の一部を他の側壁と底壁に対して分離可能に分割してなる垂直目地用の砂礫入れ容器とからなり、
上記両砂礫入れ容器をこれの底部に所定量の砂礫を入れて選択的に上記型枠の基台上に載置して用いることを特徴とする護岸ブロックの成形型枠装置。
【考案の詳細な説明】
【技術分野】
【０００１】
本考案は、河岸等の法面を構築するために用いる護岸ブロックで、特に、前面板の周囲に目地用切欠きを有すると共に、前面に砂や砕石等の砂礫を付着させてなる護岸ブロック及びこれを成形するための成形型枠装置に関するものである。
【背景技術】
【０００２】
河岸等の法面を護岸ブロックにて構築する際に、法面の景観デザインを配慮するために、前面に砂や細かい砕石等の砂礫を付着させた護岸ブロックが用いられる。
このように前面に砂礫を付着した護岸ブロックにて構築された法面は、これの表面の明度が低下して「ざらざら」した素材感に改善することができる。
【０００３】
また、多数の護岸ブロックにて構成される法面は、１個１個の護岸ブロックが独立して見えないと、法面全体がのっぺりした平面的に見えるため、各個の護岸ブロックが独立して見えるように護岸ブロックの相互間に目地が設けられる。
【０００４】
図１から図３は従来の護岸ブロック１を示すものであり、この護岸ブロック１は前面形状が横長の矩形状に形成された前面板２と、この前面板２の背面側に設けられた左右一対の脚部材３ａ，３ｂとからなっており、これの前面板の前面に砂礫４が付着されている。
【０００５】
この従来の護岸ブロック１の前面板２の全周にわたって目地用切欠き５が設けられている。
【０００６】
従来の護岸ブロック１の目地用切欠き５は図２、図３に示すように、前面板の側面に対して前面が小さくなるようにした斜面、すなわち、この斜面が前側へ向くようにして形成されている。そしてこの目地用切欠き５の目地幅Ｗは約５ｍｍとなっている。
【０００７】
このような従来の護岸ブロック１は、図４に概略的に示される成形型枠装置Ａにて、この図４から図８に示されるような工程にて成形されるようになっている。
【０００８】
成形型枠装置Ａは図４に示すようになっていて、上面形状を護岸ブロック１の前面板２の前面に対向する形状にした基台７と、この基台７の四周縁に回動可能に結合されていて、護岸ブロック１の脚部材１３ａ，１３ｂを含む外側形状を成形する側枠８と、脚部材１３ａ，１３ｂの内側及び前面板２の背面側を成形するための中子枠９とから構成される型枠６と、この型枠６の型締めされた側枠８の内側において基台７上に載置される砂礫入れ容器１０とからなっている。
【０００９】
型枠６の基台７に載置する砂礫入れ容器１０は、護岸ブロック１の目地用切欠き５を作る型枠を兼用する構造になっていて、これの周囲の断面形状は、上記目地用切欠き５の斜面を成形するように上側が広がる皿状になっていると共に、これの深さは上記目地用切欠き５の深さより砂礫収納厚さ分だけ深くなっている。この砂礫入れ容器１０の平面方向の大きさは、これの外周縁が型締め状態の側枠８の内側面に接触して位置決めされるような大きさになっている。
【００１０】
従来の成形型枠装置Ａによる護岸ブロック１の成形工程を図４から図８を参照して説明する。
【００１１】
図４に示すように型開きした状態の型枠６の基台７上に砂礫入れ容器１０を載置し、ついで図５に示すようにこの砂礫入れ容器１０に、これの開口縁まで、あるいは開口縁より低い位置まで砂礫４を平らにして入れる。
【００１２】
ついで型締めをした後に、図６に示すように成形型内にコンクリート１１を打設し、これの固化後、図７に示すように型開きし、ついで図８に示すように成形された護岸ブロック１を吊り上げ離型するようにしている。
【００１３】
そしてこのように成形体である護岸ブロックを吊り上げたときに、砂礫入れ容器１０は拡開状の皿状に形成されていることにより護岸ブロック１の前面板２の前面から容易に分離される。そしてこれの前面板２の前面には、上記成形時のコンクリートの浸透により所定量の砂礫４が付着される。
【００１４】
図９は上記図６で示したコンクリート打設時における砂礫入れ容器１０内の砂礫４の様子を示すもので、砂礫入れ容器１０内に入れてある砂礫４はコンクリートにより圧密されて、これの上面が砂礫入れ容器１０の縁より下側へ深さａにわたって沈下され、このときの砂礫入れ容器１０の砂礫４がない部分の斜面にて斜め状の目地用切欠き５が成形される。
【００１５】
したがって、このようにして成形された護岸ブロック１の前面板２の前面には、図１０に示すように砂礫４が付着されるが、この前面板２の周囲に形成される目地用切欠き５の斜面には砂礫４が付着されていない。
【考案の概要】
【考案が解決しようとする課題】
【００１６】
上記したように従来のこの種の護岸ブロック１にあっては、これの目地用切欠き５が斜面を前方へ向けた傾斜状になっていて、これの斜面には砂礫４が付着されていないことにより、この従来の護岸ブロック１を積み上げて法面を構築したときに、各護岸ブロック１の周囲に形成される目地用切欠き５がコンクリート面となって見えてしまい、この部分があたかも前面板の縁となって見えることになり、前面板の前面において、これの周囲に砂礫４の付着残しができたようになってしまい、せっかく前面板の全面に砂礫４を付着して成形したにもかかわらず、この部分が前面に砂礫４を付着させた前面板の連なりに対して違和感を与えてしまい、デザイン的に見栄えが悪いという問題があった。
【００１７】
本考案は上記のことにかんがみなされたもので、前面板の周縁に目地用切欠きを有すると共に、前面板の前面に砂や細かい砕石等の砂礫を付着させた護岸ブロックにおいて、前面板の周縁に砂礫が付着していない部分が見えないようにした護岸ブロック及びこれを成形するための成形型枠装置を提供することを目的とするものである。
【課題を解決するための手段】
【００１８】
上記目的を達成するために本考案の請求項１に係る護岸ブロックは、前面板を積み重ねることにより河岸等の法面を構築し、かつ前面板の前面に砂礫を付着すると共に、前面板の周縁に目地用切欠きを成形した護岸ブロックにおいて、目地用切欠きの側面を、前面板の前面に対して垂直、または前面板の前面から奥側へ向かって内側に後退する勾配にして目地用切欠きの側面が前側から見えないようにした構成になっている。
【００１９】
また、本考案の請求項２に係る護岸ブロックは、前面板を積み重ねることにより河岸等の法面を構築し、かつ前面板の前面に砂礫を付着すると共に、前面板の周縁に目地用切欠きを成形した護岸ブロックにおいて、目地用切欠きの側面を、前面板の前面に近い部分を前面板に対して垂直状にし、この垂直部から奥側を内側へ後退する勾配にして目地用切欠きの側面が前側から見えないようにした構成になっている。
【００２０】
また、本考案の請求項３に係る護岸ブロックは、前面板を積み重ねることにより河岸等の法面を構築し、かつ前面板の前面に砂礫を付着すると共に、前面板の周縁に目地用切欠きを成形した護岸ブロックにおいて、目地用切欠きの側面を、前面板の前面に対して垂直状にして目地用切欠きの側面が前側から見えないようにした構成になっている。
【００２１】
さらに、本考案の請求項４に係る成形型枠装置は、請求項１から請求項３のいずれか１項記載の護岸ブロックを成形する成形型枠装置において、護岸ブロックの前面板に対応する形状の基台と、この基台に対して開閉可能に設けられ、護岸ブロックの外側形状を成形する側枠及び内側形状を成形する中子枠とからなる型枠と、上側を開放し、かつ内側面に、底壁に近い部分を底壁に対して垂直にした垂直部と、この垂直部より上側を内側へ傾斜した内側向き傾斜部を設けた側壁を有し、型締め状態の上記側枠の内側に沿わせて型枠の基台上に載置し、側壁の一部を他の側壁と底壁に対して分離可能に分割してなる逆勾配目地用の砂礫入れ容器と、上側を開放し、かつ内側面を垂直にした側壁を有し、型締め状態の上記側枠の内側に沿わせて型枠の基台上に載置され、側壁の一部を他の側壁と底壁に対して分離可能に分割してなる垂直目地用の砂礫入れ容器とからなり、上記両砂礫入れ容器をこれの底部に所定量の砂礫を入れて選択的に上記型枠の基台上に載置して用いる構成になっている。
【考案の効果】
【００２２】
請求項１，２，３に係る各考案の護岸ブロックによれば、前面板の周縁に目地用切欠きを有すると共に、前面板の前面に砂や砕石等の砂礫を付着させた護岸ブロックにおいて、砂礫が付着していない上記目地用切欠きの側面が前側から見えなくなり、したがって前面板の全面に砂礫を付着させた護岸ブロックの前面板の周縁に砂礫の付着残しに見えるコンクリートむき出し面が見えることがなくなり、この護岸ブロックにて河岸等の法面を構築したときの景観をデザイン的に見栄えをよくすることができる。
【００２３】
請求項４に係る本考案の成形型枠装置によれば、目地用切欠きの側面が前面板の前面に対して逆勾配状に、あるいは垂直状になっている護岸ブロックの上記目地用切欠き部分を、この部分を成形する砂礫入れ容器が型開きの際に分解することができることにより、この部分の砂礫入れ容器によるアンダカットが生じることなく形よく成形することができる。
【図面の簡単な説明】
【００２４】
【図１】従来の護岸ブロックを示す斜視図である。
【図２】従来の護岸ブロックを示す側面図である。
【図３】従来の護岸ブロックの目地部の形状を示す拡大図である。
【図４】従来の護岸ブロックを成形するための成形型枠装置を概略的に示す説明図である。
【図５】従来の護岸ブロックの成形工程で砂礫入れ容器に砂礫を入れた状態を示す説明図である。
【図６】従来の護岸ブロックの成形工程でコンクリートを打設した状態を示す説明図である。
【図７】従来の護岸ブロックの成形工程で型開きした状態を示す説明図である。
【図８】従来の護岸ブロックの成形工程で成形体の離型状態を示す説明図である。
【図９】従来の護岸ブロックの成形における目地部の成形状態を示す拡大図である。
【図１０】従来の護岸ブロックの一部を示す正面図である。
【図１１】本考案の第１の実施例における護岸ブロックを示す斜視図である。
【図１２】本考案の第１の実施例における護岸ブロックを示す側面図である。
【図１３】本考案の第１の実施例における護岸ブロックの目地部の形状を示す拡大図である。
【図１４】本考案の第１の実施例における護岸ブロックの目地部を成形するための砂礫入れ容器を示す分解斜視図である。
【図１５】砂礫入れ容器の要部の拡大断面図である。
【図１６】本考案の第１の実施例における護岸ブロックを成形するための成形型枠装置を概略的に示す説明図である。
【図１７】本考案の第１の実施例における護岸ブロックの成形工程で砂礫入れ容器に砂礫を入れた状態を示す説明図である。
【図１８】砂礫入れ容器に砂礫を入れた状態を示す拡大断面図である。
【図１９】本考案の第１の実施例における護岸ブロックの成形工程でコンクリートを打設した状態を示す斜視図である。
【図２０】本考案の第１の実施例における護岸ブロックの成形工程で型開きした状態を示す説明図である。
【図２１】本考案の第１の実施例における護岸ブロックの成形工程で成形体の離型状態を示す説明図である。
【図２２】本考案の第１の実施例における護岸ブロックの成形工程で成形体から砂礫入れ容器を取り外した状態を示す説明図である。
【図２３】本考案の第１の実施例における護岸ブロックの成形工程で成形された護岸ブロックの目地部を示す拡大図である。
【図２４】本考案の第１の実施例における護岸ブロックの成形工程で砂礫入れ容器内への砂礫の入れ量を少なくした例を示す断面図である。
【図２５】砂礫入れ容器内への砂礫入れ量を少なくした場合の目地部の形状を示す拡大図である。
【図２６】本考案の第２の実施例における護岸ブロックを示す斜視図である。
【図２７】本考案の第２の実施例における護岸ブロックを示す側面図である。
【図２８】本考案の第２の実施例における護岸ブロックの目地部を示す拡大図である。
【図２９】本考案の第２の実施例における護岸ブロックの目地部を形成するための砂礫入れ容器を示す分解斜視図である。
【図３０】砂礫入れ容器に砂礫を入れた状態を示す拡大断面図である。
【図３１】本考案の第２の実施例における護岸ブロックの成形工程でコンクリートを打設した状態を示す斜視図である。
【考案を実施するための形態】
【００２５】
本考案の第１の実施例を図１１から図２３に基づいて説明する。なお、上記した実施例と同一部材は同一の符号を付して説明を省略する。
【００２６】
図１１から図１３は、本考案に係る護岸ブロック１ａを示すもので、この護岸ブロック１ａは基本的には図１か図３に示した従来のものと同じであり、周縁に目地用切欠き５ａを設けて前面板２ａと、一対の脚部３ａ，３ｂとからなっており、前面板２ａの前面に砂礫４が付着されている。
【００２７】
本考案における護岸ブロック１ａの前面板２ａの周縁に設けられる目地用切欠き５ａは図１３に示すように、前面板２ａの前面において、側面に対して切欠き幅Ｗになるように設けられていると共に、これの側面は前面板２ａの端縁から斜面が後方へ向くように、すなわち前面に対して奥側へ向かって内側へ後退する勾配になっている。
【００２８】
上記目地用切欠きの側面形状は、例えば、切欠き幅Ｗが５ｍｍの場合、これの奥側の切欠き幅Ｗ１が１５ｍｍ程度となる角度に、そして切欠き深さｄは従来と同様２０ｍｍ程度にしてある。なお、この数値は一例であって施工現場の要求によって適宜変えられる。
【００２９】
次に、この護岸ブロック１ａを成形する成形型枠装置Ａａを図１４、図１５及び図１６を参照して説明する。
【００３０】
この実施の形態における成形型枠装置Ａａは、砂礫入れ容器１０ａ以外型枠は図４に示した従来の成形型枠装置Ａの型枠６と同一の構成になっている。
【００３１】
図１４、図１５は上記実施例にて用いられる砂礫入れ容器１０ａを示すもので、この砂礫入れ容器１０ａの平面形状は、これの外側形状が型締め状態の型枠６の側枠８の内側形状に沿う矩形状になっていて、これの周囲に外側を底壁１２ｅに対して垂直状にした側壁１２ａ，１２ｂ，１２ｃ，１２ｄが設けてある。この各側壁１２ａ〜１２ｄの内面形状は図１５に示すように、底壁１２ｅから垂直に立ち上がる垂直部１３ａと、この垂直部１３ａの上側の開口縁辺が内側へ傾斜する内側向き傾斜部１３ｂとからなっている。
【００３２】
そして、この砂礫入れ容器１０ａは図１４に示すように、互いに連なる２辺の側壁１２ｃ，１２ｄが一体状になって、砂礫入れ容器１０ａの底壁１２ｅ及び他の側壁１２ａ，１２ｂに対して分離可能に分割されている。
【００３３】
次に図１６から図２２を参照して護岸ブロック１ａの成形工程を説明する。
【００３４】
図１６に示すように、型開きした状態の型枠６の基台７上に、分割されている２辺の側壁１２ｃ、１２ｄを他の側壁１２ａ，１２ｂ及び底壁１２ｅに組み合わせた状態にして砂礫入れ容器１０ａを載置し、ついで図１７、図１８に示すように、この砂礫入れ容器１０ａに、これの側壁１２ａ〜１２ｄの垂直部１３ａの上端より少し高い位置まで、上面を平らにして砂礫４を入れる。
【００３５】
ついで、型枠６を型締めした後に図１９に示すように成形型内にコンクリート１１を打設し、これの固化後、図２０に示すように型開きし、ついで図２１に示すように成形された護岸ブロック１ａを吊り上げ離型するようにしている。
【００３６】
上記図１９に示したコンクリート１１の打設時において、このコンクリート１１は図１８に示した砂礫入れ容器１０ａ内の砂礫４を圧密しながら、これの上側の内側へ傾斜した斜面となっている内側向き斜面部１３ｂに充填されて、前面板２ａの前端部の側周面には図２３に示すところの前面板２ａの前面に対して奥側へ向かって内側へ後退する勾配となった目地用切欠き５ａが成形される。このときの切欠き幅Ｗは砂礫入れ容器１０ａの側壁１２ａ〜１２ｄを構成する板材の板厚分となる。
【００３７】
図２１に示した離型時において、砂礫入れ容器１０ａの側壁１２ａ〜１２ｄの内側向き傾斜部１３ｂが内側へ傾斜した斜面となっていることにより、この部分が護岸ブロック１の前面板２ａの側壁に対してアンダカット状態となり、この砂礫入れ容器１０ａは護岸ブロック１と共に持ち上げられる。
【００３８】
このように護岸ブロック１ａと共に持ち上げられた砂礫入れ容器１０ａは、これの２辺の側壁１２ａ，１２ｂと底壁１２ｅに対して他の２辺の側壁１２ｃ、１２ｄを分解することにより、成形後の護岸ブロック１ａより分離される。この砂礫入れ容器１０ａの分解後の護岸ブロック１ａの前面板２ａの前面には、上記成形時のコンクリートの浸透により所定量の砂礫４が付着される。
【００３９】
上記図１９に示したコンクリート１１の打設時において、上記したように砂礫入れ容器１０ａ内の砂礫４はコンクリート１１にて圧密されて沈下するが、このときの砂礫４を砂礫入れ容器１０ａの垂直部１３ａの上端より高い位置まで入れてあるので、砂礫入れ容器１０ａ内に入り込んだコンクリート１１は、砂礫入れ容器１０ａの垂直部１３ａの上端位置となり、前面板２の外周縁は図２３に示すように奥側へ向かって内側へ後退する勾配に形成される目地用切欠き５ａにより鋭角に形成される。
【００４０】
これに対して、上記図１９に示したコンクリート１１の打設時において、砂礫入れ容器１０ａ内の砂礫４が、例えば図２４に示すように砂礫入れ容器１０ａの垂直部１３ａの上端より低い位置まで入れた場合、あるいは圧密によって砂礫４が沈下されて、これの上面が上記垂直部１３ａの上側端より低くなった場合には、このときの前面板２ａの前端部の周縁形状は図２５に示すようになって、目地用切欠き５ａを形成する前面板２ａの先端側縁に上記砂礫入れ容器１０ａの垂直部１３ａによる垂直面１４が形成される。
【００４１】
この垂直面１４には砂礫４は付着していないが、この部分は前面板２ａに対して垂直になっているので、前側からは見えない。
【００４２】
次に本考案の第２の実施例を図２６から図３１に基づいて説明する。
【００４３】
図２６から図２８は、この第２の実施例による護岸ブロック１ｂを示すもので、この護岸ブロック１ｂの前面板２ｂの周囲に設ける目地用切欠き５ｂは図２８に示すように垂直状になっている。
【００４４】
この実施例における護岸ブロック１ｂの成形は、砂礫入れ容器のみを変えて上記した第１の実施の形態と同様の型枠６を用いて成形される。
【００４５】
図２９は、この実施例にて用いられる砂礫入れ容器１０ｂを示すもので、この砂礫入れ容器１０ｂの底壁１５ｅに対する側壁１５ａ，１５ｂ，１５ｃ，１５ｄの内面が垂直になっている点で異なるだけで、図１４に示すものと同様に、互いに連なる２辺の側壁１５ａ，１５ｂが一体状になって、他の２辺の側壁１５ａ，１５ｂ及び底壁１５ｅに対して分離可能に分割されている。
【００４６】
この砂礫入れ容器１０ｂを図３０に示すように組み立てて、型枠６の基台７上に載置した後に型締めしてから図３１に示すようにコンクリート１１を打設することにより、護岸ブロック１ｂの前面板２ｂの周囲に、上記砂礫入れ容器１０ｂの側壁１５ａ〜１５ｄによる垂直状の目地用切欠き５ｂが形成される。
【００４７】
この実施の形態において、砂礫入れ容器１０ｂの側壁１５ａ〜１５ｄは垂直であるが、この砂礫入れ容器１０ｂは一体構成では固化後の成形体から抜けにくいが、この砂礫入れ容器１０ｂは２辺の側壁１５ｃ，１５ｄが分離できるので、この砂礫入れ容器１０ｂは第１の実施の形態と同様に簡単に離型することができる。
【００４８】
上記した第１・第２の実施の形態にて示した護岸ブロック１ａ，１ｂにおける目地用切欠き５ａ，５ｂの側面は、前面板２ａ，２ｂの前面に対して逆勾配状、あるいは垂直状になっていることにより、この目地用切欠き５ａ，５ｂの側面は前側から見えない。一方、この各目地用切欠き５ａ，５ｂを設けた前面板２ａ，２ｂの縁端にわたる全面に砂礫４が付着される。
【００４９】
したがって上記護岸ブロック１ａ，１ｂを積み重ねて法面を構築したときに、各目地用切欠き５ａ，５ｂにて仕切られた各護岸ブロック１ａ，１ｂの前面板２ａ，２ｂは、これの全面が砂礫模様となり、砂礫の付着し残しの感じを与えることなく安定した景観を呈することができる。
【００５０】
なお、上記各実施の形態における目地用切欠き５ａ，５ｂにあっては、この目地用切欠き５ａ，５ｂの奥端面は前面に向いて砂礫が付着していない平面状になっているが、この奥端部は前面板２ａ，２ｂに対して２０ｍｍ程度と深い位置となっていて光が入りにくく暗くなることにより、法面を構築した際に、この奥端面がコンクリート肌として見えることがなく、この部分が砂礫の付着残しとして見えることがない。
【符号の説明】
【００５１】
Ａ，Ａａ…成形型枠装置、１，１ａ，１ｂ…護岸ブロック、２，２ａ，２ｂ…前面板、３ａ，３ｂ…脚部、４…砂礫、５，５ａ，５ｂ…目地用切欠き、６…型枠、７…基台、８…側枠、９…中子枠、１０，１０ａ，１０ｂ…砂礫入れ容器、１１…コンクリート、１２ａ，１２ｂ，１２ｃ，１２ｄ，１５ａ，１５ｂ，１５ｃ，１５ｄ…側壁、１２ｅ，１５ｅ…底壁、１３ａ…垂直部、１３ｂ…内側向き傾斜部、１４…垂直面。
【図１】
0003173128.tif 000003
【図２】
0003173128.tif 000004
【図３】
0003173128.tif 000005
【図４】
0003173128.tif 000006
【図５】
0003173128.tif 000007
【図６】
0003173128.tif 000008
【図７】
0003173128.tif 000009
【図８】
0003173128.tif 000010
【図９】
0003173128.tif 000011
【図１０】
0003173128.tif 000012
【図１１】
0003173128.tif 000013
【図１２】
0003173128.tif 000014
【図１３】
0003173128.tif 000015
【図１４】
0003173128.tif 000016
【図１５】
0003173128.tif 000017
【図１６】
0003173128.tif 000018
【図１７】
0003173128.tif 000019
【図１８】
0003173128.tif 000020
【図１９】
0003173128.tif 000021
【図２０】
0003173128.tif 000022
【図２１】
0003173128.tif 000023
【図２２】
0003173128.tif 000024
【図２３】
0003173128.tif 000025
【図２４】
0003173128.tif 000026
【図２５】
0003173128.tif 000027
【図２６】
0003173128.tif 000028
【図２７】
0003173128.tif 000029
【図２８】
0003173128.tif 000030
【図２９】
0003173128.tif 000031
【図３０】
0003173128.tif 000032
【図３１】
0003173128.tif 000033